(57)【特許請求の範囲】
【請求項１】
入射した放射線量率に応じて電流を出力する第１の電極、および電界を発生するための電圧が印加される第２の電極を備えた放射線検出器と、
前記第１の電極と前記第２の電極との間に電界を生じさせて、入射した放射線量率に応じて前記放射線検出器の内部に発生した電荷を前記第１の電極に到達させるための第１の電圧を、前記第２の電極に供給する第１の電源と、
前記第１の電圧よりも絶対値の低い電圧を前記第２の電極に供給し、前記第１の電源によって前記第１の電極と前記第２の電極との間に生じる電界よりも絶対値の低い電界を前記第１の電極と前記第２の電極との間に生じさせて、入射した放射線量率に応じて前記放射線検出器の内部に発生した負電荷粒子と正電荷粒子とを再結合させることで、前記第１の電極へと流入する電荷量を最少化する、電圧調整器を有した第２の電源と、
前記第１の電源と前記第２の電源とを選択して前記第２の電極に接続するためのスイッチとを備えたことを特徴とする放射線測定装置。
【請求項２】
請求項１に記載の放射線測定装置において、
前記第１の電極が出力した電流が流入する負荷インピーダンスと、前記負荷インピーダンスに生じる電圧に応じた出力を得るための増幅器とをさらに備えたことを特徴とする放射線測定装置。
【請求項３】
請求項２に記載の放射線測定装置において、前記増幅器が有するオフセットを調整するためのオフセット調整器をさらに備えたことを特徴とする放射線測定装置。
【請求項４】
前記放射線検出器は電離箱であり、
前記第１の電極は前記電離箱の集電極であり、
前記第２の電極は、入射した放射線量率に応じて放射線検出器の内部に発生した電荷を集電極に到達させる電界を生じるための高電圧が印加される前記電離箱の高圧電極であることを特徴とする請求項１ないし３の何れかに記載の放射線測定装置。
【発明の詳細な説明】
【技術分野】
【０００１】
本発明は、放射線検出器の暗電流を補償して低放射線量率（または放射線量）の放射線を高精度で測定する放射線測定装置に関するものである。
【背景技術】
【０００２】
放射性物質による環境汚染を調査する場合、放射線量率（以下、線量率と表記することがある）が自然界に本来存在する範囲内であるか、あるいはその範囲を超えているかを測定する必要がある。さらに同一の測定地点における線量率の経時変化を精密に測定することで、あるいは多くの測定地点において線量率を精密に測定することで、放射性物質による環境汚染の変化および分布を精密且つ適切に把握して、除染の判断し、あるいは汚染防止対策を講じる必要がある。
【０００３】
こうした判断等の基礎となる線量率測定では、人間の健康等への影響を適切に判断するため、また汚染の経時変化、地域的な分布を適切に把握するため、低レベルの線量率を高精度で測定する必要がある。仮に低レベル線量率の測定精度が低いと、汚染の有無、除染の判断および除染の評価等を適切に行うことが難しくなる。
【０００４】
しかし放射線測定装置は、放射線検出器の極めて微弱な出力電流を高利得増幅回路で増幅するため、放射線検出器などで生じる暗電流の影響を受ける。この暗電流は、放射線検出器が有する各電極間および絶縁部材などに生じる極わずかな電流である（厳密には放射線検出器の周辺回路、例えば高利得増幅回路にも暗電流を生じる要素が存在し得る。）。低レベルの線量率測定では、極低レベルの線量率に対応した微弱な出力電流と暗電流の分別ができず、線量率測定に誤差が生じる（放射線量を測定する場合には線量測定に誤差が生じる。）。
【０００５】
したがって、たとえば放射能汚染の判断基準が厳しい農地における線量率を測定する場合には、放射線検出器の暗電流の影響を排除して、低線量率を高精度で測定できる放射線測定装置を用いる必要がある。
【０００６】
こうした放射線測定装置として暗電流補償式電離箱電流測定器が知られている（特許文献１）。この暗電流補償式電離箱電流測定器は、放射線検出器として電離箱を用い、この電離箱は、その内部に放射線による電離で生じたマイナスイオン（あるいは電子）を検出する集電極および暗電流補償用端子（電極）を有している（電離箱の箱体は高圧電極として作用する。）。ここで集電極は線量率に応じた電流を出力し、暗電流補償用端子は線量率に依存しない電流、すなわち暗電流を出力する。したがってこの暗電流補償式電離箱電流測定器は、暗電流補償用端子の出力電流に基づいて、集電極の出力電流に含まれる暗電流を電子回路によって補償することができ、低レベルの線量率であっても精度の高い測定を行うことができる。
【先行技術文献】
【特許文献】
【０００７】
【特許文献１】特開２００３−１５６５６３号公報
【発明の概要】
【発明が解決しようとする課題】
【０００８】
しかし特許文献１が開示する暗電流補償式電離箱電流測定器では、集電極と暗電流補償用端子とは電離箱における別個の構成要素であり、両者は、例えば形状および構造が相違し、また高圧電極との間の位置関係および静電容量等が相違する。
【０００９】
したがって、集電極で生じる暗電流と、暗電流補償用端子の出力電流との間に若干の相違（暗電流補償における誤差）が生じ得ることは否めない。また集電極および暗電流補償用端子は、両者の形状、静電容量等において相違する。したがって集電極側の増幅器と暗電流補償用端子側の増幅器とを比較すると、増幅器とそれらの周辺回路（例えば集電極および暗電流補償用端子の浮遊容量）との関係に起因して発生する極低レベルのノイズが相違する。こうした暗電流補償における誤差およびノイズの相違は、極低レベル放射能汚染の測定において誤差要因となり得る。
【００１０】
こうした誤差要因は、極低レベルの線量率を測定する場合には、さらに問題となり得る。なぜなら極低レベルの線量率を測定する場合には、増幅器の利得を高める必要があるが、増幅器の利得を高くすると、集電極と暗電流補償用端子との間の暗電流補償における誤差および極低レベルのノイズ相違は利得の増加に応じて大きくなるからである。
【００１１】
そこで本発明は、放射線検出器で生じる暗電流の補償精度を高めて、また電極と電子回路との関係で生じ得るノイズの影響を極力低減することで、極低レベルの放射線量率を高精度で測定できる放射線測定装置の実現を課題とした。
【課題を解決するための手段】
【００１２】
上記課題を解決するため本発明にかかる放射線測定装置は、入射した放射線量率に応じて電流を出力する第１の電極、および電界を発生するための電圧が印加される第２の電極を備えた放射線検出器と、第１の電極と第２の電極との間に電界を生じさせて、入射した放射線量率に応じて放射線検出器の内部に発生した電荷を第１の電極に到達させるための、第１の電圧を第２の電極に供給する第１の電源とを備えている（通常、第２の電極の電位を第１の電極の電位よりも低電位とすることで、マイナスイオンを第１の電極に到達させる。）。したがって該放射線測定装置は、入射した放射線量率に応じた電流を放射線検出器の第１の電極から得ることができる。
【００１３】
また該放射線測定装置は、第１の電極と第２の電極との間に電界を生じさて、入射した放射線量率に応じて第１の電極と第２の電極との間に発生したマイナスイオン（負電荷粒子）とプラスイオン（正電荷粒子）を再び結合させることで、第１の電極へと流入する電荷量を最少化する第２の電圧を、第２の電極に供給する第２の電源と、第１の電源と第２の電源とを選択して第２の電極に接続するためのスイッチとを備えている。
【００１４】
したがって該放射線測定装置は、スイッチによって第２の電極に第２の電圧を印加することで、入射した放射線量率に応じて放射線検出器の内部に発生したマイナスイオンとプラスイオンとを、再結合させて、第１の電極から出力される電流を最少化することができる。
【００１５】
すなわちマイナスイオンとプラスイオンとを再結合させて第１の電極に到達する電荷量をゼロとすることで、第１の電極から出力される電流（暗電流）をゼロとすることができる（請求項１）。
【００１６】
請求項２に記載のように、該放射線測定装置は、第１の電極が出力した電流が流入する負荷インピーダンスと、負荷インピーダンスに生じる電圧に応じた出力を得るための増幅器とをさらに備えることで、放射線量率に応じた電圧または電流を出力することができる。
【００１７】
この増幅器は、例えば高利得の直流増幅器（以下、増幅器と表記することがある）であり、反転入力端子と非反転入力端子および出力端子を有している。負荷インピーダンスは増幅器の反転入力端子と出力端子との間に接続され、そして増幅器の非反転入力端子は基準電位となる点（例えば接地点）に接続され、増幅器は負帰還増幅回路を構成する。
【００１８】
したがって、増幅器の入力インピーダンスが高ければ高いほど、第１の電極が出力した電流は負荷インピーダンスに流入し、増幅器の利得が高ければ高いほど反転入力端子と非反転入力端子との間の電位差は小さくなる。すなわち第１の電極の電位は増幅器の非反転入力端子の電位（例えば接地電位）と略同電位に維持され、第１の電極から出力された電流は負荷インピーダンスへと流入し、増幅器の出力電圧は、第１の電極が出力した電流によって負荷インピーダンスに生じる電圧と等しくなる。
【００１９】
請求項３に記載のように、該放射線測定装置は、増幅器のオフセットを調整するためのオフセット調整器を備えることで、直流増幅器が有する直流オフセット電圧（または電流）を調整して、該放射線測定装置が備える表示器のゼロ点表示調整（直流オフセット調整）を行うことができる。
【００２０】
請求項４に記載のように、該放射線測定装置は、放射線検出器として電離箱を使用することができる。この場合、第１の電極は電離箱の集電極であり、第２の電極は電離箱の高圧電極である。
【発明の効果】
【００２１】
上述の構成を備えた本発明にかかる放射線測定装置は、第２の電極に印加される第２の電圧を調整して暗電流による影響をゼロにすることで（暗電流による影響を補償することで）、第１の電極の出力電流に含まれる暗電流を補償できるから、そしてこの暗電流補償は線量率測定時と同じ状態で行われるから、暗電流補償調整時と線量率測定時とで増幅回路等で生じるノイズに相違が生じることがなく、極低レベルの放射線量率であっても高精度の測定を行うことができる。
【図面の簡単な説明】
【００２２】
【図１】本発明にかかる放射線測定装置における一実施例の概略構成を示す図である。
【図２】図１に示す放射線測定装置が備える表示回路部の概略構成を示す図である。
【図３】図１に示す放射線測定装置における、放射線検出器の集電極と高圧電極との間の電界に対する集電極の出力電流の特性（電界対集電極電流特性）の例を示す図である。
【図４】図３に示す特性図における低電界領域の特性を示す図である。
【発明を実施するための形態】
【００２３】
以下、図面を参照して、本発明にかかる放射線測定装置について説明する。
【実施例】
【００２４】
図１に本発明にかかる放射線測定装置の一実施例の概略構成を示す。
【００２５】
＜放射線測定装置の概略構成＞
放射線測定装置１Ａは、放射線検出器１０、高圧電源（第１の電源）２１、調整用電源（第２の電源）２２、スイッチ３０、増幅器４０、負荷インピーダンスＲ４１、表示回路部５０を備えている。
【００２６】
＜放射線検出器の概略構成＞
放射線検出器１０は、いわゆる電離箱であり、入射した放射線量率に応じて電流を出力する集電極（第１の電極）１０１、所定のガスを封入する内部空間を形成した高圧電極（第２の電極）１０２、集電極１０１と高圧電極１０２との間を電気的に絶縁する第１の絶縁部材１０３ａ、および第２の絶縁部材１０３ｂを備えている。
【００２７】
高圧電源２１は高電圧（第１の電圧）ＨＴを出力する。高電圧ＨＴの出力電圧は例えば−２５ボルトである。調整用電源２２は、絶対値で高電圧ＨＴより低い調整用電圧（第２の電圧）ｄＶを出力する。調整用電源２２が有する電圧調整器２２１は調整用電圧ｄＶを任意の正電圧または負電圧に調整するためのものである。放射線測定装置１Ａのスイッチ３０は、高圧電源２１および調整用電源２２のいずれかを選択して、射線検出器１０の高圧電極１０２に接続するためのものである。
【００２８】
放射線検出器１０の集電極１０１は増幅器４０に接続されてゼロ電位にバイアスされる。放射線検出器１０の高圧電極１０２は、放射線量率測定時には高圧電源２１に接続されて高電圧ＨＴが印加される。そうすると集電極１０１と高圧電極１０２との間に高電界が生じて、放射線検出器１０に封入されたガスの分子は入射した放射線量率に応じて電離する。電離で生じたマイナスイオンは集電極１０１で捉えられ、プラスイオンは高圧電極１０２で捉えられる。したがって、集電極１０１と高圧電極１０２との間に閉回路を構成することで、放射線検出器１０は電離で生じたマイナスイオンに応じて集電極１０１から集電極電流Ｉｓを出力することができる。
【００２９】
＜増幅器等について＞
増幅器４０は、負荷インピーダンスＲ４１（典型的には抵抗器）とともに集電極電流Ｉｓを電圧に変換する。増幅器４０は、例えば高利得の直流増幅器であり、非反転入力端子４０１、反転入力端子４０２および出力端子４０３を有している。
【００３０】
増幅器４０の非反転入力端子４０１は接地されており、増幅器４０の反転入力端子４０２と出力端子４０３との間には負荷インピーダンスＲ４１が接続されて、増幅器４０は負帰還増幅回路を構成する（負荷インピーダンスＲ４１は負帰還増幅回路の帰還インピーダンスとなる。）。増幅器４０の反転入力端子４０２は、放射線検出器１０の集電極１０１に接続されている。
【００３１】
したがって、増幅器４０が利得の高い直流増幅器であれば、反転入力端子４０２と非反転入力端子４０１との間の電位差は小さくなり、増幅器４０の入力インピーダンスが高ければ、集電極１０１から出力された集電極電流Ｉｓは、すべて負荷インピーダンスＲ４１へと流入する。
【００３２】
こうして集電極１０１の電位は増幅器４０の非反転入力端子４０１の電位と略同電位（略接地電位）に維持され、また集電極電流Ｉｓは負荷インピーダンスＲ４１へと流入して、増幅器４０は放射線量率に応じた電圧を出力する。
【００３３】
なお放射線検出器１０の集電極１０１から負荷インピーダンスＲ４１へと流入した集電極電流Ｉｓは、増幅器４０、増幅器４０の電源（図示せず）、および高圧電源２１または調整用電源２２を経て放射線検出器１０の高圧電極１０２に至る閉回路を流れることとなる。
【００３４】
ここで負荷インピーダンスＲ４１を抵抗器だけで構成すれば、増幅器４０が出力する電圧は放射線量率に応じた電圧となり、負荷インピーダンスＲ４１をキャパシタだけで構成すれば、増幅器４０が出力する電圧は放射線量に応じた電圧となる。
【００３５】
ところで一般に増幅器４０の反転入力端子４０２と非反転入力端子４０１との間には直流入力オフセット電圧が存在しており、この直流入力オフセット電圧は増幅器４０の出力に直流出力オフセット電圧を生じさせる。そこで放射線測定装置１Ａは、オフセット調整器Ｒ４２を用いて、増幅器４０の直流出力オフセット電圧をゼロに調整できるように構成されている。
【００３６】
＜表示回路部について＞
図２に示すように表示回路部５０は、増幅器４０の出力電圧を入力するための入力端子５０１、増幅器５０２および表示器５０３等を有して、増幅器４０の出力電圧を増幅し表示器５０３に表示する。もちろん表示器５０３が表示する値は放射線量率の値である。
【００３７】
表示回路部５０は、増幅器５０２で構成される増幅器の電圧利得等を調整する機能を有することで、放射線量率の測定範囲を変えることができる。例えば増幅器５０２で構成される増幅器の電圧利得を高く設定することで測定感度を高くして、極低レベルの線量率を測定することができ、その一方、電圧利得を低く設定することで測定感度を低くして、高レベルの線量率を測定することができる。
【００３８】
なお表示回路部５０は、後述する暗電流および直流オフセットの調整を円滑に行うために、若干負の値も表示できることが望ましい。
【００３９】
もちろん表示回路部は、上記構成に限定されず、例えばアナログ・ディジタル変換機を有して、増幅器４０の出力電圧をアナログからディジタルへと変換することで放射線量率をディジタル表示する構成であってもよい。
【００４０】
＜放射線量率の測定について＞
放射線量率を測定するときには、スイッチ３０の操作によって、放射線検出器１０の高圧電極１０２に高圧電源２１を接続して高電圧ＨＴ（−２５（Ｖ））を印加する。このとき放射線検出器１０の集電極１０１と高圧電極１０２との間に生じる電界を電界Ｅｖとする（本明細書では、高圧電極１０２に負電圧を印加したとき、電界Ｅｖは正電界であるとする。）。もちろん電界Ｅｖは高電圧ＨＴの電圧に応じて変化する。
【００４１】
電界Ｅｖが高くなるほど、放射線検出器１０に入射した放射線量率に応じて電離したマイナスイオンとプラスイオンは加速され且つ再結合しにくくなり、集電極電流Ｉｓは大きくなる。電界Ｅｖが一定の電界強度に達すると、それ以上電界Ｅｖを高くしても集電極電流Ｉｓは飽和する。
【００４２】
図３は入射放射線量率を一定値としたときにおける電界Ｅｖ対集電極電流Ｉｓ特性を示すもので、集電極電流Ｉｓは電界Ｅｖが略ゼロのとき略ゼロとなり、電界Ｅｖの増加とともに増加し、やがて飽和する。
【００４３】
＜暗電流などについて＞
図４は電界Ｅｖが低いときの電界Ｅｖ対集電極電流Ｉｓ特性を示すものである。仮に高圧電極１０２に印加される電圧をゼロ（Ｖ）とし、電界Ｅｖをゼロとしても、放射線で電離したマイナスイオンは、極わずかではあるがプラスイオンと再結合せず集電極１０１に到達するものもある。そのため電界Ｅｖがゼロであっても、図４に示すように、集電極１０１は極僅かな集電極電流Ｉｓを出力する。
【００４４】
このときの集電極電流Ｉｓは放射線で生じた電流と暗電流とを合成したものといえる。これに対し、暗電流は放射線検出器１０に放射線がまったく入射していないときの集電極電流Ｉｓであるといえる。
【００４５】
＜暗電流の補償について＞
放射線測定装置１Ａにおける暗電流を補償するときには、スイッチ３０を操作して、放射線検出器１０の高圧電極１０２に接続される電源を調整用電源２２とする。ここで調整用電源２２は、前述のとおり高電圧ＨＴに比べて絶対値が小さい調整用電圧ｄＶを出力するものである。
【００４６】
放射線測定装置１Ａでは、暗電流補償の調整は比較的高レベルの放射線源（例えば基準となる放射線源）からの放射線を用いて、次のようして行われる。
【００４７】
（１）先ず、スイッチ３０で高圧電源２１を選択して、放射線測定装置１Ａを動作させ、放射線源からの放射線を検出できることを確認する。
（２）次に、スイッチ３０で調整用電源２２を選択して、調整用電圧ｄＶを例えばゼロ（Ｖ）近辺に設定する。そうすると放射線検出器１０の線量率検出感度は低くなるが、放射線源が比較的高レベルであれば、集電極電流Ｉｓはゼロとならず、表示回路部５０の表示器５０３は一定レベル以上の数値を表示する。このとき放射線測定装置１Ａは高感度の状態に設定されていることが望ましい。
（３）次に、調整用電源２２が出力する調整用電圧ｄＶを変化させる。調整用電圧ｄＶを調整することによって、集電極１０１と高圧電極１０２との間に生じる電界を−ｄＥｖ〜ｄＥｖとする。調整用電圧ｄＶを変化させると（例えば調整用電圧ｄＶを若干正電圧にすると）、プラスイオンは高圧電極１０２で反発される一方、マイナスイオンは集電極１０１で反発され、マイナスイオンとプラスイオンとの再結合を促進することができる。調整用電圧ｄＶをさらに微調整調整することで、電離したマイナスイオンおよびプラスイオンの殆どすべてを再結合させることができる。
具体的には、表示器５０３の表示が最少の値となるように調整用電圧ｄＶを調整する。しかし増幅器４０は直流オフセットがあるため、放射線検出器１０の集電極電流Ｉｓ出力がゼロになったときでも、一般に表示器５０３は僅かに正の値を表示するか、または僅かに負の値を表示する。
（４）そこで表示器５０３の表示が最少の値となるように調整用電圧ｄＶを調整したのち、表示器５０３の表示がゼロとなるようにオフセット調整器Ｒ４２を調整する。
（５）そののち再び、調整用電圧ｄＶを再調整して表示器５０３の表示を最少にする。そしてさらに表示器５０３の表示がゼロとなるようにオフセット調整器Ｒ４２を調整する。こうして調整用電圧ｄＶと直流オフセット調整を数回繰り返すことで、放射線測定装置１Ａにおける暗電流の補償および直流オフセット調整を行うことができる。
【００４８】
このように放射線測定装置１Ａは、集電極と別の暗電流補償用電極（端子）を用いることなく、集電極電流Ｉｓに含まれる暗電流を直接検出して補償でき、また直流オフセットもゼロに調整できる。
【００４９】
こうして放射線測定装置１Ａは、暗電流の影響を排除して、高感度で極低レベルの線量率を測定することができ、また増幅器５０２で構成される増幅回路の電圧利得を低く設定するなどして高レベルの線量率を測定することができる（広い測定範囲において放射線量率を高精度に測定することができる。）。
【００５０】
＜増幅回路等で生じるノイズの影響＞
増幅回路で発生するノイズは、増幅回路を構成する初段の増幅器（放射線測定装置１Ａでは増幅器４０）固有のノイズ、初段の増幅器の入力側の浮遊容量（放射線測定装置１Ａでは集電極１０１と高圧電極１０２との間の浮遊容量等）、信号電流（放射線測定装置１Ａでは集電極電流Ｉｓ）が流入する負荷インピーダンス（放射線測定装置１Ａでは負荷インピーダンスＲ４１）等で決まる。
【００５１】
放射線測定装置１Ａは、暗電流補償調整を行うときスイッチ３０の操作が行われるが、この操作によって変化するのは、放射線検出器１０の高圧電極１０２に接続される電源であり、集電極１０１（増幅器４０に接続されている）と高圧電極１０２との間の浮遊容量は変化しない。もちろんスイッチ３０の操作によって、増幅器４０固有のノイズおよび負荷インピーダンスＲ４１が変化することはない。
【００５２】
このように放射線測定装置１Ａは、放射線量率測定時と暗電流補償調整時とでノイズを変化させる要素を有しないから、増幅回路で生じるノイズの影響を受けずに暗電流補償および増幅器４０などの直流オフセット調整を行って、放射線量率を高感度かつ高精度に測定することができる。
【００５３】
以上、本発明に係る放射線測定装置について説明したが、本発明は、その趣旨を変更するとこなく適宜変形して実施することができる。
【００５４】
例えば、放射線検出器の出力は第１の電極が捉えた電荷で定まり、第１の電極からの単位時間当たりの出力電荷が電流であるから、そして、この電流は抵抗器に流入して電圧となるから、放射線測定装置が放射線検出器の出力をキャパシタに流入させた場合であっても本発明に係る放射線測定装置である。
【００５５】
また放射線検出器は電離箱に限定されない。放射線検出器は、入射した放射線量率に応じて電流を出力することができる第１の電極（集電極）と、この第１の電極との間に電界を生じさせるための第２の電極とを備え、第１の電極と第２の電極との間の電界を変化させることで、入射放射線量率対第１の電極の出力電流特性を変化させて、放射線検出器に放射線がある程度入射しているときであっても、第１の電極の出力電流を略暗電流だけにすることができるものであればよい。
【産業上の利用可能性】
【００５６】
本発明に係る放射線測定装置は、工業的に製造等することができるから、また工業的および商業的に使用することができるから、そして商取引の対象とすることができるから、本発明は経済的価値を有して産業上の利用することができる発明である。
【符号の説明】
【００５７】
１Ａ  放射線測定装置
１０  放射線検出器（電離箱）
１０１  第１の電極（集電極）
１０２  第２の電極（高圧電極）
２１  第１の電源（高圧電源）
２２  第２の電源（調整用電源）
３０  スイッチ
４０  増幅器
Ｒ４１  負荷インピーダンス
Ｒ４２  オフセット調整器
ＨＴ  第１の電圧（高電圧）
ｄＶ  第２の電圧（調整用電圧）
【要約】
【課題】放射線検出器で生じる暗電流を補償して、また回路が発生するノイズの影響を低減して極低レベルの放射線量率を高精度で測定できる放射線測定装置を実現する。
【解決手段】本発明の放射線測定装置１Ａは、第１の電極１０１及び第２の電極１０２を備えた放射線検出器１０と、入射した放射線量率に応じて放射線検出器１０で発生した電荷を第１の電極に到達させるための第１の電圧ＨＴを第２の電極１０２に供給する第１の電源２１と、入射した放射線量率に応じて放射線検出器１０で発生したマイナスイオンとプラスイオンを再結合させて、第１の電極１０１へと流入する電荷量を最少化するための第２の電圧ｄＶを第２の電極１０２に供給する第２の電源２２と、第１の電源２または第２の電源２２を選択して第２の電極１０２に接続するスイッチ３０を備えている。
【選択図】図１【図１】
0005829745.tif 000002
【図２】
0005829745.tif 000003
【図３】
0005829745.tif 000004
【図４】
0005829745.tif 000005